(57)【特許請求の範囲】
【請求項１】
操作部と、前記操作部の操作で接点が切り替わる接点部と、を備え、
前記操作部は、
ケースに固定され、上面の周方向に傾斜する第１カム面が形成されている固定カムと、
前記ケースに回動自在に配置された回転つまみと、
前記固定カムの下部の前記ケース内に配置されて前記回転つまみに固定され、下面の円周方向に傾斜する第２カム面が形成されている回転カムと、
前記固定カムの上部の前記ケース内に回転自在、且つ前記ケースの軸方向に移動自在に配置され、前記固定カムの前記第１カム面に接触する第１カム面摺動部が形成されているノッチリングと、
前記回転つまみの内部に軸方向に沿って形成され、上端が閉塞され、下端が開口しているばね収納凹部と、
前記ばね収納凹部に収容され、前記ばね収納凹部に収容したばね端部が前記ノッチリングに保持され、前記固定カムの前記第１カム面に第１カム面摺動部が摺動する前記ノッチリングが前記固定カムから離間する方向に移動したときに、前記ノッチリングにばね復元力を作用する復帰ばねと、を備えているとともに、
前記接点部は、前記回転カムの前記第２カム面により前記接点が切り替わることを特徴とするセレクタスイッチ。
【請求項２】
前記回転つまみは、第１位置から当該第１位置に対して９０°回転した第２位置まで回転し、前記回転つまみが前記第１位置から前記第２位置に回転し、前記回転つまみとともに回転した前記ノッチリングが前記固定カムから離間する方向に前記軸方向に移動することで、前記復帰ばねが前記ノッチリングに前記ばね復元力を作用することを特徴とする請求項１記載のセレクタスイッチ。
【請求項３】
前記固定カムの前記第１カム面に連続する面に、前記回転つまみが前記第２位置に回転したときに、前記ノッチリングの前記第１カム面摺動部が係合するノッチが設けられていることを特徴とする請求項２記載のセレクタスイッチ。
【発明の詳細な説明】
【技術分野】
【０００１】
本発明は、配電設備、或いは電気機械類に電源供給、又は電気信号などのＯＮ−ＯＦＦ制御を行うセレクタスイッチに関する。
【背景技術】
【０００２】
電気機械類に電気信号のＯＮ−ＯＦＦ制御を行うセレクタスイッチとして、例えば特許文献１及び２の装置が知られている。
特許文献１は、操作部組体、ノッチ機構及びスイッチ組体を直列に接続した装置であり、操作部組体の操作つまみをＯＦＦ位置からＯＮ位置に回転すると、操作つまみとともに回転したノッチカムがノッチ機構のノッチ駒に当接し、ノッチ駒がスイッチ組体の押棒を押し下げることでスイッチをＯＮ動作させる装置である。この特許文献１の装置のノッチ機構には、操作つまみ及びノッチカムが初期のＯＦＦ位置まで自動的に戻るように、ノッチ駒を介してノッチカムをばね力でＯＦＦ位置まで回転させるコイル状の復帰ばねが配置されている。
【０００３】
また、特許文献２は、円筒形状の本体ケースの一端開口部にスイッチユニットが装着され、本体ケースの他端開口部から操作つまみが突出して配置されている。そして、操作つまみをＯＦＦ位置からＯＮ位置に回転すると、操作つまみとともに本体ケース内の操作カムが回転し、操作カムに係合する操作リングが本体ケースの軸方向に移動し、操作リングの移動によりスイッチユニットのアクチュエータを移動させてスイッチユニットをＯＮ動作させる。
この特許文献２の本体ケース内には、スイッチユニット側に設けたばね台と操作リングとの間にコイル状の復帰ばねが配置されており、操作つまみ及び操作カムが初期のＯＦＦ位置まで自動的に戻るように、復帰ばねのばね力で操作つまみ及び操作カムを回転させている。
【先行技術文献】
【特許文献】
【０００４】
【特許文献１】実開昭６２−１００６４７号公報
【特許文献２】実開昭６４−５５５２６号公報
【発明の概要】
【発明が解決しようとする課題】
【０００５】
ところで、特許文献１に記載のセレクタスイッチは、操作つまみ、ノッチカム、ノッチ駒及び復帰ばねが長手方向に配置され、全長が長い装置となっている。また、特許文献２に記載のセレクタスイッチも、長尺な本体ケースの下端開口部に操作つまみが配置され、本体ケース内に操作カム、操作リング及び復帰ばねが配置されており、全長が長い装置である。
このように、特許文献１、２のセレクタスイッチは全長が長いので小型化の面で問題がある。
本発明は、小型化を図ることができるセレクタスイッチを提供することを目的としている。
【課題を解決するための手段】
【０００６】
上記目的を達成するために、本発明の一態様に係るセレクタスイッチは、操作部と、操作部の操作で接点が切り替わる接点部と、を備え、操作部は、ケースに固定され、上面の周方向に傾斜する第１カム面が形成されている固定カムと、ケースに回動自在に配置された回転つまみと、固定カムの下部のケース内に配置されて回転つまみに固定され、下面の円周方向に傾斜する第２カム面が形成されている回転カムと、固定カムの上部のケース内に回転自在、且つケースの軸方向に移動自在に配置され、固定カムの第１カム面に接触する第１カム面摺動部が形成されているノッチリングと、回転つまみの内部に軸方向に沿って形成され、上端が閉塞され、下端が開口しているばね収納凹部と、ばね収納凹部に収容され、ばね収納凹部に収容したばね端部がノッチリングに保持され、固定カムの第１カム面に第１カム面摺動部が摺動するノッチリングが固定カムから離間する方向に移動したときに、ノッチリングにばね復元力を作用する復帰ばねと、を備えている。また、接点部は、回転カムの第２カム面により接点が切り替わるようにした。
【発明の効果】
【０００７】
本発明に係るセレクタスイッチによれば、ケース内の軸方向に固定カム及びノッチリングが隣接して配置されているとともに、ノッチリングにばね復元力を作用する復帰ばねが、操作部を構成する回転つまみの内部に収納されているので、軸方向の長さが短い装置となり、小型のセレクタスイッチを提供することができる。
【図面の簡単な説明】
【０００８】
【図１】本発明に係る第１実施形態のセレクタスイッチの操作手順を示す図である。
【図２】本発明に係る第１実施形態のセレクタスイッチの構成部材を示す図である。
【図３】本発明に係る第１実施形態のセレクタスイッチの操作つまみがＯＦＦ位置にあるときのセレクタスイッチの内部構造を示す図である。
【図４】本発明に係る第１実施形態のセレクタスイッチの操作つまみがＯＮ位置にあるときのセレクタスイッチの内部構造を示す図である。
【図５】本発明に係る第１実施形態のセレクタスイッチを構成する操作つまみと回転カムの連結構造を示す図である。
【図６】本発明に係る第２実施形態のセレクタスイッチを示す断面図である。
【発明を実施するための形態】
【０００９】
次に、図面を参照して、本発明の第１及び第２実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
また、以下に示す第１及び第２実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１０】
［第１実施形態のセレクタスイッチの構造］
図１（ａ）、（ｂ）は、本発明に係る第１実施形態のセレクタスイッチ１を示すものであり、セレクタスイッチ１は、操作つまみ２を備えた操作部３及び接点部４とで構成されている。図１（ａ）は、操作つまみ２をＯＦＦ位置として接点部４をＯＦＦ動作としている状態であり、図１（ｂ）は、操作つまみ２をＯＦＦ位置からＯＮ位置まで回転して接点部４をＯＮ状態としている状態を示す図である。
セレクタスイッチ１の操作部３は、図２に示すように、操作つまみ２、操作部ケース５、ノッチリング６、固定カム７、回転カム８、連結ボルト９、復帰ばね１０ａ，１０ｂ、Ｖパッキン１１、平パッキン１２及びナット１３を備えている。
【００１１】
操作つまみ２は、図２に示すように、回転つまみ２ａと、回転つまみ２ａの下端に連続して形成した円筒形状の基部２ｂとを備えている。
操作部ケース５は、図２に示すように、一端開口側の周縁に鍔部５ａを形成した円筒形状の部材である。鍔部５ａの端面には、円周方向に連続して操作つまみ２の回転をガイドするガイド溝５ｂと、ガイド溝５ｂの内側に円周方向に連続するパッキン収納溝５ｃが形成されている。
操作つまみ２は、図３に示すように、鍔部５ａのガイド溝５ｂに回転つまみ２ａの外周に形成したリブ２ｇを挿入し、パッキン収納溝５ｃにＶパッキン１１を配置した状態で操作部ケース５の一端開口部を閉塞している。
【００１２】
操作部ケース５の内部には、図３に示すように、操作部ケース５の軸心Ｐ位置に貫通穴５ｄを設けた仕切り壁５ｅが形成されており、この仕切り壁５ｅより鍔部５ａ側の一端側に円筒空間の第１収納部５ｆが形成され、仕切り壁５ｅより他端側に円筒空間の第２収納部５ｇが形成され、他端開口部の周縁に凸部５ｈが形成されている。
第１収納部５ｆには、図３に示すように、ノッチリング６、固定カム７及び操作つまみ２の基部２ｂが収納されている。
固定カム７は、第１収納部５ｆの内径と同一寸法の外径を有する環状部材であり、図２に示すように、厚さ方向の一方の面に２箇所の第１カム部７ａ，７ａが形成されており、これら第１カム部７ａ，７ａの上面は、同一円周方向に向うに従い同一方向に傾斜する一対の第１カム面７ｂとして形成されている。また、第１カム面７ｂの最上部位置で連続する平坦面７ｃの一部に、ノッチ７ｄが形成されている。
【００１３】
そして、固定カム７の厚さ方向の他方の面には凹部７ｅが形成されており、この凹部７ｅが操作部ケース５の仕切り壁５ｅに形成した凸部５ｈ（図２参照）に嵌まり込むことで、固定カム７は回転が拘束された状態で第１収納部５ｆに収納される。
操作つまみ２の基部２ｂは、図３に示すように、第１収納部５ｆ内の固定カム７の厚さ方向の一方の面に当接した状態で収納されており、この基部２ｂには、軸心Ｐに沿う方向に２箇所の軸方向スリット２ｃ，２ｃが形成されている（図３では一方のスリット２ｃのみが記載されている）。
【００１４】
ノッチリング６も、図２に示すように環状部材であり、外周面の２箇所から径方向外方に突出する係合突起６ａ，６ａが形成されている。
このノッチリング６は、前述した操作つまみ２の基部２に形成した２箇所の軸方向スリット２ｃ，２ｃに係合突起６ａ，６ａが嵌まり込むことで、固定カム７の２箇所の第１カム部７ａ，７ａを外側から囲みながら固定カム７の厚さ方向の一方の面に当接した状態で第１収納部５ｆに収納されている。
これにより、ノッチリング６は、軸方向スリット２ｃ，２ｃに係合突起６ａ，６ａが係合しながら軸心Ｐに沿って固定カム７から離間する方向（図３の上下方向）に移動可能とされている。
【００１５】
ノッチリング６には、係合突起６ａ，６ａの近くに上部に突出する２箇所のばね保持部６ｂ，６ｂが設けられているとともに（図２及び図３参照）、これら２箇所のばね保持部６ｂ，６ｂの下方位置に、第１カム面７ｂ，７ｂ及び平坦面７ｃ，７ｃ上を摺動する２箇所の第１カム面摺動部６ｃ，６ｃが形成されている（図２及び図３には一対の第１カム面摺動部６ｃ，６ｃの一方のみが記載されている）。
図５に示すように、操作つまみ２の回転つまみ２ａには、軸心Ｐに沿う方向に互いに平行に２本のばね収納穴２ｄ，２ｅが軸心Ｐに沿って形成されている。これらばね収納穴２ｄ，２ｅは、一端が閉塞され、他端が基部２ｂの内側においてノッチリング６のばね保持部６ｂ，６ｂに対向する位置で開口している。
【００１６】
そして、復帰ばね１０ａ，１０ｂをばね収納穴２ｄ，２ｅの各々に収納し、基部２ｂから突出した復帰ばね１０ａ，１０ｂの一端側をばね保持部６ｂ，６ｂに係合することで、操作つまみ２の内部に復帰ばね１０ａ，１０ｂが配置される。
回転カム８は、図２に示すように、円盤部８ａと、円盤部８ａの厚さ方向の一方の面の軸心位置から突出している縮径筒部８ｂと、縮径筒部８ｂに形成したボルト通過穴８ｃとを備えた部材である。
図５に示すように、操作つまみ２の回転つまみ２ａの下面（基部２で囲まれた部位）には、軸心Ｐ位置にねじ穴２ｈが形成されている。
【００１７】
回転カム８の縮径筒部８ｂを操作部ケース５の仕切り壁５ｅの貫通穴５ｄに挿入し、連結ボルト９をボルト通過穴８ｃを通過し、回転つまみ２ａのねじ穴２ｈにねじ込むことで、操作つまみ２に回転カム８が固定される。そして、回転つまみ２ａの回転とともに回転カム８が回転するが、その際に、操作つまみ２のリブ２ｇがガイド溝５ｂ内で摺動するとともに、Ｖパッキン１１は押し潰された状態となり、操作つまみ２から内部への防水が確保されている。
ここで、図３及び図４に示すように、回転カム８の円盤部８ａには、接点部４に対向する方向に２箇所の第２カム部８ｄ，８ｄが形成されている。これら第２カム部８ｄ，８ｄの下面は、同一円周方向に向うに従い同一方向に傾斜する２箇所の第２カム面８ｅ，８ｅとして形成されている。
【００１８】
接点部４は、図２に示すように、スイッチ機構（不図示）を収納している接点部ケース４ａと、接点部ケース４ａの上部に形成された円環形状の嵌合凸部４ｂと、スイッチ機構に係合して接点部ケース４ａの上端から突出している一対の押棒４ｃ，４ｃとを備えている。なお、押棒４ｃ，４ｃが接点部ケース４ａから突出している状態ではスイッチ機構はＯＦＦ状態となり、押棒４ｃ，４ｃが接点部ケース４ａの内部に押し込まれている状態ではスイッチ機構はＯＮ状態となっている。
そして、接点部４は、図３及び図４に示すように、嵌合凸部４ｂを操作部ケース５の凸部５ｈに着脱自在に嵌め込むことで操作部３に連結される。
さらに、図３に示すように、操作部ケース５の外周に平パッキン１２を配置し、操作部ケース５の外周に形成したおねじ部５ｉにナット１３をねじ込むことで、鍔部５ａの裏面に平パッキン１２を介してナット１３を配置する。
【００１９】
［第１実施形態のセレクタスイッチの動作］
次に、操作つまみ２の回転つまみ２ａを、図１（ａ）のＯＦＦ位置から図１（ｂ）のＯＮ位置まで回転させるときのセレクタスイッチ１の動作について、図３及び図４を参照して説明する。
ＯＦＦ位置からＯＮ位置に操作つまみ２の回転つまみ２ａが回転すると、基部２ｂに係合しているノッチリング６と、回転つまみ２ａの下面に固定された回転カム８も、同一方向に回転する。
【００２０】
このとき、ノッチリング６は、２箇所の第１カム面摺動部６ｃ，６ｃが、固定カム７の第１カム面７ｂ，７ｂの登り方向（図３において第１カム面摺動部６ｃが左側に移動して第１カム面７ｂ上を登る方向）に摺動して回転する（この回転を正方向回転と称する）。
第１カム面摺動部６ｃが第１カム面７ｂの登り方向に摺動していくと、ノッチリング６が固定カム７から離間する方向に移動していき、ノッチリング６のばね保持部６ｂで一端が保持され、ばね収納穴２ｄ，２ｅに収納されている復帰ばね１０ａ，１０ｂは、徐々にばね長が短くなって圧縮されていく。そして、図４に示すように、平坦面７ｃのノッチ７ｄに第１カム面摺動部６ｃの先端が入り込んだときにノッチリング６の回転が停止し、回転つまみ２ａがＯＮ位置を示した状態で保持される。
【００２１】
また、回転つまみ２ａがＯＦＦ位置からＯＮ位置に回転するときに同時に回転する回転カム８は、２箇所の第２カム部８ｄ，８ｄの第２カム面８ｅ，８ｅが、接点部４の押棒４ｃ，４ｃに対して登り方向（軸線Ｐに直交する面に対して第２カム面８ｅのなす角度が徐々に大きくなる方向）に摺動する。２箇所の第２カム部８ｄ，８ｄの第２カム面８ｅ，８ｅの登り方向に摺動する接点部４の押棒４ｃ，４ｃは、第２カム面８ｅ，８ｅに徐々に押されて接点部ケース４ａの内部に入り込んでいき、接点部ケース４ａ内部のスイッチ機構がＯＮ状態となる。
【００２２】
次に、操作つまみ２の回転つまみ２ａを、図１（ｂ）のＯＮ位置から図１（ａ）のＯＦＦ位置側に戻すときのセレクタスイッチ１の動作について説明する。
回転つまみ２ａをＯＦＦ位置方向に少し回すと、ノッチ７ｄに先端が入り込んでいた第１カム面摺動部６ｃが第１カム面７ｂ上に移動する。
復帰ばね１０ａ，１０ｂは、圧縮された状態でばね収納穴２ｄ，２ｅ内に収納されており、この復帰ばね１０ａ，１０ｂのばね復元力が、第１カム面摺動部６ｃが第１カム面７ｂに接触しているノッチリング６に作用し、第１カム面摺動部６ｃは第１カム面７ｂの下り方向に摺動していく。これにより、ノッチリング６は、逆方向に回転していくとともに、固定カム７に近接する方向に移動していき、回転つまみ２ａは、図１（ａ）のＯＦＦ位置まで回転する。
また、回転つまみ２ａがＯＮ位置からＯＦＦ位置に回転すると、逆方向に回転する回転カム８の第２カム面８ｅ，８ｅが、接点部４の押棒４ｃ，４ｃに対して徐々に離間していく。これにより、接点部ケース４ａの内部に入り込んでいた接点部４の押棒４ｃ，４ｃは、接点部ケース４ａから突出した状態に復帰し、接点部４はスイッチ機構がＯＦＦ状態となる。
【００２３】
［第１実施形態のセレクタスイッチの効果］
次に、第１実施形態のセレクタスイッチ１の効果について説明する。
第１実施形態のセレクタスイッチ１は、固定カム７及びノッチリング６が軸心Ｐ方向に隣接して配置されているとともに、ノッチリング６にばね復元力を作用する復帰ばね１０ａ，１０ｂが、回転つまみ２ａ内で軸心Ｐ方向に沿って形成したばね収納穴２ｄ，２ｅに収納されているので、軸心Ｐ方向の長さが短いセレクタスイッチ１となり、小型化を図ることができる。
また、ノッチリング６は、固定カム７の第１カム部７ａ，７ａを外側から囲みながら固定カム７の厚さ方向の面に当接した状態で第１収納部５ｆに収納されているとともに、軸心Ｐに沿って固定カム７から離間する方向に移動可能とされており、ノッチリング６及び固定カム７が軸心Ｐ方向に重なり合うように操作部ケース５内に配置されているので、さらに軸心Ｐ方向の長さが短くなり、小型化を促進することができる。
【００２４】
［第２実施形態のセレクタスイッチの構造］
次に、図６は、本発明に係る第２実施形態のセレクタスイッチ１５を示すものである。
第２実施形態のセレクタスイッチ１５は、操作部１６及び接点部１７とで構成されている。
操作部１６は、第１実施形態のセレクタスイッチ１とほぼ同一構造の、操作つまみ２、操作部ケース５、ノッチリング６、固定カム７、回転カム８、図示していない連結ボルト、復帰ばね１０ａ，１０ｂ、Ｖパッキン１１を備えている。
【００２５】
接点部１７は、操作部ケース５に着脱自在に装着される接点部ケース１８と、接点部ケース１８に収納されているスイッチ機能を有するスイッチ基板１９と、スイッチ基板１９上に設けた皿ばね形状のスイッチ部２０と、操作部ケース５の内部に配置されたスイッチ操作部２１と、を備えている。
スイッチ操作部２１は、スイッチ基板１９のスイッチ部２０に対向する押板２２を有し、押板２２の上面に、回転カム８の２箇所の第２カム部８ｄ，８ｄの第２カム面８ｅ，８ｅに向けて突出する回転カム側接点２２ａ，２２ｂが形成され、スイッチ部２０に向けて突出するスイッチ側接点２２ｃが形成されている。
【００２６】
［第２実施形態のセレクタスイッチの動作］
次に、操作つまみ２の回転つまみ２ａを、図１（ａ）のＯＦＦ位置から図１（ｂ）のＯＮ位置まで回転させるときの第２実施形態のセレクタスイッチ１５の接点部１７の動作について説明する。
回転つまみ２ａがＯＦＦ位置からＯＮ位置に回転するときに同時に回転する回転カム８は、２箇所の第２カム部８ｄ，８ｄの第２カム面８ｅ，８ｅが、接点部１７を構成するスイッチ操作部２１の回転カム側接点２２ａ，２２ｂに接触する。
【００２７】
押板２２は、第２カム面８ｅ，８ｅが回転カム側接点２２ａ，２２ｂに接触することで下方に移動し、スイッチ側接点２２ｃがスイッチ部２０に接触してスイッチ基板１９がＯＮ状態となる。
また、操作つまみ２の回転つまみ２ａを、図１（ｂ）ＯＮ位置から図１（ａ）のＯＦＦ位置側に戻すときには、逆方向に回転する回転カム８の第２カム面８ｅ，８ｅが回転カム側接点２２ａ，２２ｂから離間することで押板２２が上方に移動し、スイッチ側接点２２ｃがスイッチ部２０から離間してスイッチ基板１９がＯＦＦ状態となる。
【００２８】
［第２実施形態のセレクタスイッチの効果］
次に、第２実施形態のセレクタスイッチ１５の効果について説明する。
第２実施形態のセレクタスイッチ１５も、固定カム７及びノッチリング６が軸心Ｐ方向に隣接して配置されているとともに、ノッチリング６にばね復元力を作用する復帰ばね１０ａ，１０ｂが、回転つまみ２ａ内で軸心Ｐ方向に沿って形成したばね収納穴２ｄ，２ｅに収納されているので、軸心Ｐ方向の長さが短いセレクタスイッチ１５となり、小型化を図ることができる。
【００２９】
また、接点部１７は、接点部ケース１８に収納されているスイッチ機能を有するスイッチ基板１９と、スイッチ基板１９上に設けた皿ばね形状のスイッチ部２０と、操作部ケース５の内部に配置されたスイッチ操作部２１とを備えて、スイッチ操作部２１は、スイッチ基板１９のスイッチ部２０に対向する押板２２の上面に、回転カム８の２箇所の第２カム部８ｄ，８ｄの第２カム面８ｅ，８ｅに向けて突出する回転カム側接点２２ａ，２２ｂが形成され、押板２２の下面にスイッチ部２０に向けて突出するスイッチ側接点２２ｃが形成されている構造としているので、さらに、セレクタスイッチ１５の小型軽量化を図ることができる。
【符号の説明】
【００３０】
１  セレクタスイッチ
２  操作つまみ
２ａ  回転つまみ
２ｂ  基部
２ｃ  軸方向スリット
２ｄ，２ｅ  ばね収納穴
２ｇ  リブ
２ｈ  ねじ穴
３  操作部
４  接点部
４ａ  接点部ケース
４ｂ  嵌合凸部
４ｃ  押棒
５  操作部ケース
５ａ  鍔部
５ｂ  ガイド溝
５ｃ  パッキン収納溝
５ｄ  貫通穴
５ｅ  仕切り壁
５ｆ  第１収納部
５ｇ  第２収納部
５ｈ  凸部
５ｉ  おねじ部
６  ノッチリング
６ａ  係合突起
６ｂ，６ｂ  ばね保持部
６ｃ，６ｃ  第１カム面摺動部
７  固定カム
７ａ，７ａ  第１カム部
７ｂ，７ｂ  第１カム面
７ｃ，７ｃ  平坦面
７ｄ，７ｄ  ノッチ
７ｅ  凹部
８  回転カム
８ａ  円盤部
８ｂ  縮径筒部
８ｃ  ボルト通過穴
８ｄ  第２カム部
８ｅ  第２カム面
９  連結ボルト
１０ａ，１０ｂ  復帰ばね
１１  Ｖパッキン
１２  平パッキン
１３  ナット
１５  セレクタスイッチ
１６  操作部
１７  接点部
１８  接点部ケース
１９  スイッチ基板
２０  スイッチ部
２１  スイッチ操作部
２２  押板
２２ａ，２２ｂ  回転カム側接点
２２ｃ  スイッチ側接点
Ｐ  軸心
【図１】
0006682877.tif 000002
【図２】
0006682877.tif 000003
【図３】
0006682877.tif 000004
【図４】
0006682877.tif 000005
【図５】
0006682877.tif 000006
【図６】
0006682877.tif 000007